(57)【要約】【課題】  コンピュータ装置の障害内容・障害復旧手順を簡易的に取得すること【解決手段】  コンピュータ装置において、ＯＳが起動せず、ネットワークに接続されないような障害が発生した場合、保守員が操作する携帯端末装置を用いて、コンピュータ装置から画像情報を取りこみ、これを文字情報に変換し、ネットワークを介して接続されている障害復旧手順サーバへ送信する。障害復旧手順サーバでは、入力した文字情報に基づき、障害復旧手順書データベースから障害内容及び障害復旧手順書を抽出し、携帯端末装置に送信する。保守員は送られた障害復旧手順書に従いコンピュータ装置の復旧を実施することができる。【選択図】  図１
2007072851.tif 000002
【特許請求の範囲】
【請求項１】
障害を有するコンピュータ装置に接続される携帯端末装置と、
ネットワークを介して前記携帯端末装置に接続される障害復旧手順サーバとを備え、
前記携帯端末装置は、前記コンピュータ装置から前記障害の状態を表示するための画像情報を取得し、前記画像情報から前記表示の背景色に対応するカラーコードと、文字色に対応するカラーコードとを抽出し、両者の相違を解析して文字形状を読み取り、前記文字形状に対応する文字情報と、前記コンピュータ装置を識別するユーザ情報とを前記ネットワークを介して前記障害復旧手順サーバに送信し、
前記障害復旧手順サーバは、前記障害の内容を示す障害内容と、前記障害の復旧手順を示す障害復旧手順書を保持する障害復旧手順書データベースを備え、
前記携帯端末装置から送信される前記文字情報と前記ユーザ識別情報とに関連する前記障害内容及び前記障害復旧手順書を、前記障害復旧手順書データベースから抽出し、前記携帯端末装置に送信し、
前記携帯端末装置は、前記障害復旧手順サーバから送信される前記障害内容及び前記障害復旧手順書を表示する
障害復旧支援システム。
【請求項２】
請求項１記載の障害復旧支援システムにおいて、
前記画像情報は、前記コンピュータ装置の障害の内容を示すシステムエラーコードを表示するためのカラーコードを含み、
前記障害復旧手順サーバは、
システムエラーコードを保持するシステムエラーコード情報データベースを更に備え、
前記障害復旧手順書データベースには、システムエラーコード及びユーザ情報に対応する障害内容と、障害復旧手順書とが対応付けられて格納され、
前記携帯端末装置から送信される前記文字情報に基づくシステムエラーコードが前記システムエラーコード情報データベースから抽出され、
前記抽出されたシステムエラーコードと前記送信されたユーザ情報とに関連する前記障害内容及び前記障害復旧手順書が前記障害復旧手順書データベースから抽出される
障害復旧支援システム。
【請求項３】
請求項１または２に記載の障害復旧支援システムにおいて、
前記障害復旧手順サーバは、文字情報解析部を更に備え、
前記文字情報解析部は、前記携帯端末から送信される前記文字情報を解析して、前記文字情報から、文字列として表示可能な解析文字情報を抽出し、
前記システムエラーコードデータベース内のシステムエラーコードと前記解析文字情報とを照合した結果に基づき、システムエラーコードを抽出する
障害復旧支援システム。
【請求項４】
請求項１から３いずれか１項に記載の障害復旧支援システムにおいて、
前記障害復旧手順サーバは、障害履歴記憶部を備え、
前記履歴記憶部は、前記携帯端末装置から送信される前記ユーザ情報と、前記文字情報を受信した日時と、前記障害復旧手順書データベースから抽出された前記障害内容とを関連付けて記録する
障害復旧支援システム。
【請求項５】
携帯端末装置が、
障害を有するコンピュータ装置から前記障害の状態を表示するための画像情報を取得するステップと、
前記画像情報から前記表示の背景色に対応するカラーコードと、文字色に対応するカラーコードとを抽出するステップと、
前記抽出した背景色に対応するカラーコードと、文字色に対応するカラーコードとの相違を解析して文字形状を読み取るステップと、
前記文字形状に対応する文字情報と、前記コンピュータ装置を識別するユーザ情報とをネットワークを介して障害復旧手順サーバに送信するステップと、
前記障害復旧手順サーバが、前記携帯端末装置から送信される前記文字情報と前記ユーザ識別情報とに関連する前記障害内容及び前記障害復旧手順書を、障害復旧手順書データベースから抽出し、前記携帯端末装置に送信するステップと、
前記携帯端末装置が、前記障害復旧手順サーバから送信される前記障害内容及び前記障害復旧手順書を表示するステップを具備する
障害復旧支援方法。
【請求項６】
請求項５記載の障害復旧支援方法において、
前記画像情報は、前記コンピュータ装置の障害の内容を示すシステムエラーコードを表示するためのカラーコードを含み、
前記障害復旧手順サーバが、前記携帯端末装置から送信される前記文字情報に基づくシステムエラーコードを、システムエラーコード情報データベースから抽出するステップと、
前記抽出されたシステムエラーコードと前記送信されたユーザ情報とに関連する前記障害内容及び前記障害復旧手順書を前記障害復旧手順書データベースから抽出するステップとを更に具備する
障害復旧支援方法。
【請求項７】
請求項５または６に記載の障害復旧支援方法において、
前記障害復旧手順サーバが、前記携帯端末から送信される前記文字情報を解析して、前記文字情報から、文字列として表示可能な解析文字情報を抽出するステップと、
前記システムエラーコードデータベース内のシステムエラーコードと前記解析文字情報とを照合して、システムエラーコードを抽出するステップとを更に具備する
障害復旧支援方法。
【請求項８】
請求項５から７いずれか１項に記載の障害復旧支援方法において、
前記障害復旧手順サーバが、前記携帯端末装置から送信される前記ユーザ情報と、前記文字情報を受信した日時と、前記障害復旧手順書データベースから抽出された前記障害内容とを関連付けて履歴記憶部に記録するステップを更に具備する
障害復旧支援方法。
【発明の詳細な説明】
【技術分野】
【０００１】
本発明は、コンピュータ装置の障害復旧支援システムに関し、特に携帯端末装置を利用した障害復旧支援システムに関する。
【背景技術】
【０００２】
ユーザが使用するコンピュータ装置に障害が発生した際、装置全体の障害情報を自動的に収集して、予め決められた通報先に障害情報を伝送し、通報先で解析することで障害の特定を行う機能を備えた障害復旧システムがある。しかし、このシステムは装置が複雑かつ高価であり、個人向けのユーザには向いていない。又、ＯＳが起動せず、ネットワークに接続されないような障害の場合、この機能は使用できない。
【０００３】
そこで、障害が発生したコンピュータ装置から出力される画像情報を、携帯端末装置を用いてネットワークを介してサーバに送信し、サーバ内の過去の異常画像と正常画像とを照合することで、発生した障害を特定する装置がある（特許文献１）。しかし、コンピュータ装置から出力される画像情報は情報量が多く、携帯端末装置に入力又はサーバに送信する際、画像を劣化する必要性が生じる。又、サーバ内の過去の異常画像や正常画像のデータベースは情報量が多く、照合が複雑化し、照合不一致により障害内容の特定ができない事態が多発する恐れがある。
【特許文献１】特開２００３−１６２４２９号公報
【発明の開示】
【発明が解決しようとする課題】
【０００４】
本発明の目的は，障害を有するコンピュータ装置から出力される画像情報を文字情報に変換し、その文字情報を基に簡易的に障害復旧を支援する障害復旧支援システムを提供することにある。
【課題を解決するための手段】
【０００５】
以下に、［発明を実施するための最良の形態］で使用される番号・符号を括弧付きで用いて、［課題を解決するための手段］を説明する。この番号・符号は、［特許請求の範囲］の記載と［発明を実施するための最良の形態］の記載との対応関係を明らかにするために付加されたものであるが、［特許請求の範囲］に記載されている発明の技術的範囲の解釈に用いてはならない。
【０００６】
本発明による障害復旧支援システムは、障害を有するコンピュータ装置（１０）に接続される携帯端末装置（２０）と、ネットワーク（１００）を介して携帯端末装置（２０）に接続される障害復旧手順サーバ（３０）とを備える。携帯端末装置（２０）は、コンピュータ装置（１０）から前記障害の状態を表示するための画像情報（ＶＤ）を取得し、この画像情報（ＶＤ）から前記表示の背景色に対応するカラーコードと、文字色に対応するカラーコードとを抽出し、両者の相違を解析して文字形状を読み取り、読み取った文字形状に対応する文字情報（ＣＤ）と、コンピュータ装置（１０）を識別するユーザ情報（ＵＤ）とをネットワーク（１００）を介して障害復旧手順サーバ（３０）に送信する。
【０００７】
ここで、障害復旧手順サーバ（３０）は、障害の内容を示す障害内容（ＮＯ）と、障害の復旧手順を示す障害復旧手順書（ＲＰＯ）を保持する障害復旧手順書データベース（３０４）を備える。障害復旧手順サーバ（３０）は、携帯端末装置（２０）から送信される文字情報（ＣＤ）とユーザ識別情報（ＵＤ）とに関連する障害内容（ＮＯ）及び障害復旧手順書（ＲＰＯ）を、障害復旧手順書データベース（３０４）から抽出し、携帯端末装置（２０）に送信する。携帯端末装置（２０）は、障害復旧手順サーバ（３０）から送信される障害内容（ＮＯ）及び障害復旧手順書（ＲＰＯ）を表示する。
【０００８】
このように、本発明による障害復旧支援システムは、障害のあったコンピュータ装置（１０）からその障害の状況を示す画像情報（ＶＤ）を取得することで、その障害を復旧するための障害復旧手順書（ＲＰＯ）を携帯端末（２０）によって取得することができる。このためコンピュータ装置（１０）が外部装置と通信不可能になるような障害が発生した場合でも、その障害の障害内容（ＮＯ）及び復旧要領を容易に取得でき、復旧作業を行うことができる。
【０００９】
一方、画像情報（ＶＤ）は、コンピュータ装置（１０）の障害の内容を示すシステムエラーコード（ＳＥＣ）を表示するためのカラーコードを含む。障害復旧手順サーバ（３０）は、システムエラーコード（ＳＥＣ）を保持するシステムエラーコード情報データベース（３０３）を更に備える。障害復旧手順書データベース（３０４）には、システムエラーコード（ＳＥＣ）及びユーザ情報（ＵＤ）に対応する障害内容（ＮＯ）と、障害復旧手順書（ＲＰＯ）とが対応付けられて格納されている。
【００１０】
携帯端末装置（２０）から文字情報（ＣＤ）及びユーザ情報（ＵＤ）が送信されると、送信された文字情報（ＣＤ）に基づくシステムエラーコード（ＳＥＣ）がシステムエラーコード情報データベース（３０３）から抽出され、抽出されたシステムエラーコード（ＳＥＣ）と送信されたユーザ情報（ＵＤ）とに関連する障害内容（ＮＯ）及び障害復旧手順書（ＲＰＯ）が障害復旧手順書データベース（３０４）から抽出される。
【００１１】
又、障害復旧手順サーバ（３０）は、文字情報解析部（３０２）を更に備える。文字情報解析部（３０２）は、携帯端末（２０）から送信される文字情報（ＣＤ）を解析して、文字情報（ＵＤ）から、文字列として表示可能な解析文字情報（ＥＣＤ）を抽出する。そして、システムエラーコードデータベース（３０３）内のシステムエラーコード（ＳＥＤ）と解析文字情報（ＥＣＤ）とを照合した結果に基づき、システムエラーコードを抽出する。
【００１２】
更に、障害復旧手順サーバ（３０）は、障害履歴記憶部（３０５）を備える。履歴記憶部（３０５）は、携帯端末装置（３０）から送信されるユーザ情報（ＵＤ）と、文字情報を受信した日時（ＳＴ）と、障害復旧手順書データベース（３０３）から抽出された障害内容（ＮＯ）とを関連付けて障害履歴として記録する。
【００１３】
このように、障害履歴を記録することで、保守対象であるコンピュータ装置（１０）の障害頻度や障害傾向を把握し、保守業務の資とすることができる。
【発明の効果】
【００１４】
本発明の障害復旧支援システムによれば、障害を有するコンピュータ装置から出力される画像情報を文字情報に変換し、その文字情報を基に障害を解析し、簡易的にコンピュータ装置の障害復旧を支援することができる。
【００１５】
又、本発明により、ネットワークに接続不可能なコンピュータ装置の障害を解析し、簡易的にコンピュータ装置の障害復旧を支援することができる。
【発明を実施するための最良の形態】
【００１６】
以下、添付図面を参照して、本発明による障害復旧支援システムの実施の形態が説明される。
【００１７】
図１は障害復旧支援システムの構成図である。
【００１８】
本発明による障害復旧支援システムは、図１に示されるように、ユーザが使用するコンピュータ装置１０に接続される携帯端末装置２０と、インターネットやイントラネット等のネットワーク１００を介して接続される障害復旧手順サーバ３０から構成されている。
【００１９】
障害復旧システムの携帯端末装置２０及び障害復旧手順サーバ３０は、コンピュータ装置１０の保守管理業務を行う保守センタが保有し、コンピュータ装置１０に障害が発生した時、ユーザの要請を受けた保守員は、携帯端末装置２０を操作して障害復旧手順サーバ３０からコンピュータ装置１０の障害の内容を示す障害内容ＮＯ及び障害の復旧手順を示す障害復旧手順書ＲＰＯを取得し、復旧作業を実施する。この際、保守員はユーザでも構わない。
【００２０】
ユーザが使用するコンピュータ装置１０は、図２に示されるように、制御部１０１及び表示部１０２から構成されている。
【００２１】
制御部１０１は、コンピュータ装置１０の演算部分であり、画像情報ＶＤを画像出力端子１０１Ｃから外部装置に出力する。
【００２２】
表示部１０２は、ＣＲＴやＬＣＤのような表示画面を有する表示装置であり、制御部１０１の画像出力端子１０１Ｃに接続されて、画像情報ＶＤが入力される画像入力端子１０２Ｃを備える。表示部１０２は、制御部１０１から画像入力端子１０２Ｃを介して入力される画像情報ＶＤに基づき画像を表示する。ここで、画像情報ＶＤは、表示部１０２に表示されるドットの位置情報と、色を表すカラーコードとを含む。
【００２３】
携帯端末装置２０は、画像表示機能と文字入力機能とを有し、インターネットやイントラネットのようなネットワーク１００に接続可能な携帯電話やＰＤＡ等の装置である。
【００２４】
その構成は図３に示されるように、コンピュータ装置１０から画像情報ＶＤを入力するための画像情報入力端子２０１と、画像情報ＶＤを文字情報ＣＤに変換する画像情報変換部２０２と、ネットワーク１００を介して文字情報ＣＤを障害復旧手順サーバ３０に送信する文字情報並びにユーザ情報送信部２０３と、障害復旧手順サーバ３０から障害内容ＮＯ及び障害復旧手順書ＲＰＯを受信する障害復旧手順書受信部２０４と、画像情報ＶＤ又は、受信した障害内容ＮＯ及び障害復旧手順書ＲＰＯを表示する表示部２０５とから構成されている。
【００２５】
画像情報入力端子２０１は、コンピュータ装置１０の画像出力端子１０１Ｃと接続され、コンピュータ装置１０からの画像情報ＶＤが入力される。この際、画像情報入力端子２０１は、様々な形式のコネクタに接続可能な変換コネクタを装備している。
【００２６】
画像情報変換部２０２は、入力された画像情報ＶＤを文字情報ＣＤに変換する。画像情報変換部２０２は、画像情報ＶＤから、表示の背景色に対応するカラーコード及び位置情報と、文字色に対応するカラーコード及び位置情報とを抽出し、その相違を解析して、文字形状を読み取り、文字コードに変換する。画像情報変換部２０２は、画像情報ＶＤ内に含まれる全ての文字画像から得られた文字コード群を文字情報ＣＤとして出力する。
【００２７】
文字情報並びにユーザ情報送信部２０３は、変換された文字情報ＣＤと、保守員が入力したユーザ情報ＵＤと、送信日時ＳＴとをネットワーク１００を介し、障害復旧手順サーバ３０に送信する。保守員が入力するユーザ情報は、コンピュータ装置１０のユーザ名ＵＮ、ユーザコードＵＣ、コンピュータ装置名ＥＮである。
【００２８】
障害復旧手順書受信部２０４は、障害復旧手順サーバ３０からネットワーク１００を介して、障害内容ＮＯ及び障害復旧手順書ＲＰＯを受信し、受信した障害内容ＮＯ及び障害復旧手順書ＲＰＯは、表示部２０５に出力される。
【００２９】
障害復旧手順サーバ３０は、ネットワーク１００を介して携帯端末装置２０から送信される文字情報ＣＤとユーザ情報ＵＤを基に、コンピュータ装置１０に発生した障害の内容と、その障害を復旧するための手順を特定し、特定した障害内容ＮＯ及び障害復旧手順書ＲＰＯを携帯端末装置２０へ送信するための装置である。
【００３０】
その構成は図４に示されるように、文字情報並びにユーザ情報受信部３０１と、文字情報解析部３０２と、システムエラーコード情報データベース３０３と、障害復旧手順書データベース３０４と、障害履歴記憶部３０５と、保守員情報データベース３０６と、障害内容送信部３０７と、障害復旧手順書送信部３０８とから構成されている。
【００３１】
文字情報並びにユーザ情報受信部３０１は、ネットワーク１００を介し携帯端末装置２０が送信する文字情報ＣＤと、ユーザ情報ＵＤと、送信日時ＳＴとを受信する。
【００３２】
文字情報解析部３０２は、受信される文字情報ＣＤを解析し、文字情報ＣＤからシステムエラーコードを抽出するために必要な文字コード群のみを読み出し、解析文字情報ＥＣＤとして出力する。
【００３３】
システムエラーコード情報データベース３０３は、コンピュータ装置１０の予想される障害の内容に対応したシステムエラーコードＳＥＣを保持したデータベースである。
障害復旧手順書データベース３０４は、図５に示されるようにコンピュータ装置名ＥＮと、障害内容ＮＯと、障害内容ＮＯに対応したシステムエラーコードＳＥＣ及び障害復旧手順書ＲＰＯを保持したデータベースである。
【００３４】
障害履歴記憶部３０５は、図６に示されるように、携帯端末装置２０から受信されるユーザ情報ＵＤであるユーザ名ＵＮ、ユーザコードＵＣ、コンピュータ装置名ＥＮと、送信日時ＳＴと、障害復旧手順書データベース３０４から抽出される障害内容ＮＯと、保守員情報データベースから抽出される保守員情報とを関連付けて記録する。ユーザ名はユーザの名前、ユーザコードＵＣはユーザを識別するためのコード、コンピュータ装置名ＥＮはユーザが使用するコンピュータ装置１０の名前である。又、送信日時ＳＴは障害発生日時として記録される。
【００３５】
保守員情報データベース３０６は、図７に示されるようにユーザコードＵＣと保守員を識別するための保守員情報ＭＤを関連付けて保持しているデータベースである。保守員情報ＭＤは、コンピュータ装置１０の保守業務を担当する保守員を識別するための名前や所属、保守員の識別番号等である。
【００３６】
障害内容送信部３０７は、障害復旧手順書データベース３０４から抽出される障害内容ＮＯを、ネットワーク１００を介して携帯端末装置２０へ送信する。
障害復旧手順書送信部３０８は、障害復旧手順書データベース３０４から抽出される障害復旧手順書ＲＰＯを、ネットワーク１００を介して携帯端末装置２０に送信する。
【００３７】
次に図１から図８を用いて障害復旧支援システムの第１の実施の形態が説明される。
【００３８】
ユーザが使用するコンピュータ装置１０において、ＯＳ（オペレーションシステム）が起動しない障害や、システムがフリーズする障害等が発生した場合、コンピュータ装置１０の制御部１０１は、障害の内容を示すシステムエラーコードＳＥＣを表示するための情報を含む画像情報ＶＤを表示部１０２に出力し、表示部１０２でシステムエラーコードＳＥＣを含む画像が表示される（ステップＳ２）。
【００３９】
コンピュータ装置１０の保守業務を担当する保守員は、保有する携帯端末装置２０を用いて、コンピュータ装置１０の障害の復旧を実施する。
【００４０】
保守員はコンピュータ装置１０の画像出力端子１０１Ｃと、表示部１０２の画像入力端子１０２Ｃとの接続を切り離し、その画像出力端子１０１Ｃと携帯端末装置２０の画像情報入力端子２０１とを変換コネクタを用いて接続する（ステップＳ４）。
【００４１】
画像出力端子１０１Ｃと画像情報入力端子２０１を接続することで画像情報ＶＤはコンピュータ装置１０から携帯端末装置２０に入力される（ステップＳ６）。
【００４２】
携帯端末装置２０に入力された画像情報ＶＤは、表示部２０５に表示されるとともに、画像情報変換部２０２において自動的に文字情報ＣＤに変換される（ステップＳ８）。例えば、青色の背景に白色のシステムエラーコードを表示する画像情報ＶＤが入力された場合、青色の背景部分のカラーコードは「＃００００ＦＦ」、システムエラーコードの白文字部分のカラーコードは「＃ＦＦＦＦＦＦ」となるので、この相違とそれぞれの位置情報とを解析して文字形状を読み取り、図示しない基準文字形状データベースに登録されている基準文字形状と比較して文字を識別する。次に、識別された基準文字形状に対応する文字の文字コードを含む文字情報ＶＤを出力する。
【００４３】
画像情報変換部２０２は、文字情報ＣＤへの変換を終了すると変換終了を告げる信号を表示部２０５に送信し、表示部２０５は、文字情報ＣＤ変換が終了したことを表示する。保守員は、コンピュータ装置１０から入力された画像情報ＶＤと、画像情報ＶＤが文字情報ＣＤに変換されたこと示す表示を表示部２０５で確認する。又、ユーザ情報ＵＤ、すなわちコンピュータ装置１０のユーザ名ＵＮ、ユーザコードＵＣ、コンピュータ装置名ＥＮを携帯端末装置２０に入力すると（ステップＳ１０）、文字情報ＣＤとユーザ情報ＵＤは、文字情報並びにユーザ情報送信部２０３から標準のＷｅｂプラウザを使用してネットワーク１００を介し、障害復旧手順サーバ３０に送信される。（ステップＳ１２）。
【００４４】
障害復旧手順サーバ３０の文字情報並びにユーザ情報受信部３０１で受信された文字情報ＣＤは、文字情報解析部３０２で解析され、システムエラーコードＳＥＣを抽出するために必要な文字情報のみが読み出され、解析文字情報ＥＣＤとして出力される（ステップＳ１４）。ここで文字情報解析部３０２は、文字情報ＣＤの中で文字コードとして認識できないデータを削除し、一連の文字列として認識できる文字コード群に補正する等の解析が行われる。
【００４５】
文字情報解析部３０２より得られた解析文字情報ＥＣＤと、システムエラーコード情報データベース３０３に保持されている一連のシステムエラーコードＳＥＣとが照合され、最適なシステムエラーコードＳＥＣが抽出される（ステップＳ１６）。ここで、最適なシステムエラーコードＳＥＴとは解析文字情報ＥＣＤと一致、あるいは類似する（所定の閾値以上の文字列が一致する）システムエラーコードＳＥＣである。
【００４６】
抽出されたシステムエラーコードＳＥＣと携帯端末装置２０から受信されたユーザ情報ＵＤの中のコンピュータ装置名ＥＮとを関連付け（ステップＳ１８）、更に障害復旧手順書データベース３０４に保持される一連の障害内容ＮＯ及び障害復旧手順書ＲＰＯとを照合することで、最適な障害内容ＮＯ及び障害復旧手順書ＲＰＯが抽出される（ステップＳ２０）。
【００４７】
ステップＳ２０において、障害内容ＮＯ及び障害復旧手順書ＲＰＯが抽出されると、障害復旧手順サーバ３０は、コンピュータ装置１０に発生した障害、障害発生日時、その対処を行った保守員等の障害履歴を記録する（ステップＳ２１）。先ず、図７に示される保守員を識別するための保守員情報ＭＤを保持した保守員情報データベース３０６から、ユーザ情報ＵＤと関連付けられる保守員情報ＭＤが抽出される。次に、障害が発生したコンピュータ装置１０のユーザ情報ＵＤと、ユーザ情報ＵＤ及び文字情報ＣＤが送信された送信日時ＳＴと、保守員情報ＭＤと、障害復旧手順書データベースから抽出された障害内容ＮＯとが、障害履歴として障害履歴記憶部３０５に記録される。この際、送信日時ＳＴは障害発生日時として記録される。
【００４８】
ステップＳ２０において抽出された障害内容ＮＯ及び障害復旧手順書ＲＰＯは、それぞれ障害内容送信部３０７及び障害復旧手順書送信部３０８からネットワーク１００を介して携帯端末装置２０に送信される（ステップＳ２２）。
【００４９】
携帯端末装置２０の障害復旧手順書受信部２０４で受信された障害内容ＮＯ及び障害復旧手順書ＲＰＯは、表示部２０５に表示され（ステップＳ２４）、保守員はその障害復旧手順書ＲＰＯに従いコンピュータ装置１０の障害の復旧を実施する（ステップＳ２６）。
【００５０】
以上のように、本発明による障害復旧支援システムによれば、ＯＳ（オペレーティング・システム）まで立ち上がらずシステムエラーコードのみ表示するなどネットワークと接続が出来ない障害であっても、コンピュータ装置１０に表示されたシステムエラーコードから手順を入手することができ、システムエラーコードを熟知していなくても障害内容を把握することが出来る。また障害対応窓口との問い合わせがなくなることにより、問い合わせした際に生じる伝達ミスや障害復旧の手順を入手するまでの時間が低減されるという効果がある。更に、障害復旧手順サーバ３０を管理する保守センタは、障害履歴に基づき、保守対象であるコンピュータ装置１０の障害頻度や障害傾向を把握し、保守業務の資とすることができる。
【００５１】
以上、本発明の実施の形態を詳述してきたが、具体的な構成は上記実施の形態に限られるものではなく、本発明の要旨を逸脱しない範囲の変更があっても本発明に含まれる。
【図面の簡単な説明】
【００５２】
【図１】図１は、本発明の構成図である。
【図２】図２は、本発明のコンピュータ装置１０の構成図である。
【図３】図３は、本発明の携帯端末装置２０の構成図である。
【図４】図４は、本発明の障害復旧手順サーバ３０の構成図である。
【図５】図５は、本発明の障害復旧手順書データベース３０４の構成図である。
【図６】図６は、本発明の障害履歴記憶部３０５の構成図である。
【図７】図７は、本発明の保守員情報データベース３０６の構成図である。
【図８】図８は、本発明の第１の実施の形態のフローチャートである。
【符号の説明】
【００５３】
１０：コンピュータ装置
２０：携帯端末装置
３０：障害復旧手順サーバ
１００：ネットワーク
１０１：制御部
１０１Ｃ：画像出力端子
１０２：表示部
１０２Ｃ：画像入力端子
２０１：画像情報入力端子
２０２：画像情報変換部
２０３：文字情報並びにユーザ情報送信部
２０４：障害復旧手順書受信部
２０５：表示部
３０１：文字情報並びにユーザ情報受信部
３０２：文字情報解析部
３０３：システムエラーコード情報データベース
３０４：障害復旧手順書データベース
３０５：障害履歴記憶部
３０６：保守員情報データベース
３０７：障害内容送信部
３０８：障害復旧手順書送信部
ＶＤ：画像情報
ＣＤ：文字情報
ＥＣＤ：解析文字情報
ＳＥＣ：システムエラーコード
ＵＤ：ユーザ情報
ＵＮ：ユーザ名
ＵＣ：ユーザコード
ＥＮ：コンピュータ装置名
ＳＴ：送信日時
ＭＤ：保守員情報
ＮＯ：障害内容
ＲＰＯ：障害復旧手順書
【図１】
2007072851.tif 000003
【図２】
2007072851.tif 000004
【図３】
2007072851.tif 000005
【図４】
2007072851.tif 000006
【図５】
2007072851.tif 000007
【図６】
2007072851.tif 000008
【図７】
2007072851.tif 000009
【図８】
2007072851.tif 000010